(57)【要約】  化粧物品（１）であって：−化粧製品（１４）の予備と、−少なくとも２つのメッシュ（１５）において、上流のものと、下流のものとが、上記製品が上記物品から吐出される方向に相対しており、上記メッシュが貫通孔（１６）を備えており、化粧製品が上流メッシュを通過し続いて下流メッシュを通過するように配置されている、少なくとも２つのメッシュ（１５）とを備える、化粧物品。【選択図】図２
2019506935.tif 000002
【特許請求の範囲】
【請求項１】
化粧物品（１）であって：
−化粧製品（１４）の予備と、
−少なくとも２つのメッシュ（１５）において、上流のものと、下流のものとが、前記製品が前記物品から吐出される方向に相対しており、前記メッシュが、貫通孔（１６）を備えており、前記製品が前記上流メッシュを通過し続いて前記下流メッシュを通過するように配置されている、少なくとも２つのメッシュ（１５）と
を備える、前記化粧物品。
【請求項２】
前記上流メッシュ（１５）における孔（１６）の最大寸法が、前記下流メッシュ（１５）における孔（１６）の最大寸法より大きく、これら２つの寸法間の比は、好ましくは、１を超えかつ１００以下である、請求項１に記載の物品（１）。
【請求項３】
前記メッシュ（１５）の少なくとも１つが製織されている、請求項１〜２のいずれか１項に記載の物品（１）。
【請求項４】
製織が、縦糸（１８）及び横糸（１９）からなるとき、前記縦糸の直径が、前記横糸の直径とは異なる、請求項３に記載の物品（１）。
【請求項５】
前記メッシュ（１５）の少なくとも１つが、１つのピースで作製される、請求項１〜４のいずれか１項に記載の物品（１）。
【請求項６】
前記メッシュ（１５）の少なくとも１つにおける全ての前記孔（１６）が、積層可能な輪郭を有する、請求項１〜５のいずれか１項に記載の物品（１）。
【請求項７】
前記メッシュ（１５）の少なくとも１つが、積層可能でない輪郭を有する孔（１６）を有する、請求項１〜６のいずれか１項に記載の物品（１）。
【請求項８】
前記孔（１６）の輪郭が、以下の形状：矩形、五角形、六角形、八角形、円形、卵形又は楕円形；の１つを有する、請求項１〜７のいずれか１項に記載の物品（１）。
【請求項９】
前記メッシュ（１５）の少なくとも１つにおける前記孔（１６）の最大寸法が、５０μｍ及び４５０μｍの間である、請求項１〜８のいずれか１項に記載の物品（１）。
【請求項１０】
前記メッシュ（１５）の少なくとも１つは、前記孔間の最小距離が、１００μｍ及び３００μｍの間であるように配置されている、請求項１〜９のいずれか１項に記載の物品（１）。
【請求項１１】
前記２つのメッシュ（１５）間に少なくとも１つの中間メッシュ（１５）をさらに備え、前記メッシュにおける前記それぞれの孔（１６）の最大寸法が、前記製品（１４）が前記物品から吐出されるときに、前記製品が前記メッシュを通過する方向に対して上流から下流に減少している、請求項１〜１０のいずれか１項に記載の物品（１）。
【請求項１２】
前記化粧製品（１４）が、固体ブロックを形成する、請求項１〜１１のいずれか１項に記載の物品（１）。
【請求項１３】
前記化粧製品が、唇用の化粧製品である、請求項１〜１２のいずれか１項に記載の物品（１）。
【請求項１４】
デバイスであって：
−互いに対向に延びる少なくとも２つのメッシュ（１５）と、
−前記メッシュが取り付けられている支持体（１７）と
を備え、
前記メッシュの少なくとも１つにおける前記孔（１６）の最大寸法が５０μｍ及び４５０μｍの間であり、
各メッシュの最大寸法が３ｃｍ未満であり、
前記支持体が、化粧物品（１）のチューブ（５）の一端に取り付けられるようになっている、前記デバイス。
【発明の詳細な説明】
【技術分野】
【０００１】
本発明は、特に唇用の化粧品物品に関する。
【背景技術】
【０００２】
口紅は、「ビュレット」と呼ばれる、特に固体又はペースト形態であってよい化粧製品のチューブ及び予備を典型的には備える。該製品は、使用者が、その唇に適用することができるようなメカニズムによってチューブの一端に動かされる。製品配合物は、ビュレットが、強度、特に機械的及び熱的に良好な強度を与えることを確実にしながらも、最も良好な可能なメイクアップ結果を得るように選択される。したがって、ビュレットの４つの主成分、すなわち、ワックス、オイル、バター及び顔料の割合が調整され得る。良好なメイクアップ結果を得るために、構造要素としてのワックスによって大部分が付与されるビュレットの堅牢性を、例えばオイル及びバターの割合を増加させることによって低減させることが好ましい。しかし、この増加は、ビュレットの機械的強度を低下させ、これによりビュレットをより壊れ易くする。また、この増加は、ビュレットの初期配合物を変更するだけでなく、消費者に負の視覚影響を及ぼす滲出現象を最終的に引き起こす。この点において、使用者は、数年間口紅を保持する傾向にあることを記憶されたい。
【発明の概要】
【発明が解決しようとする課題】
【０００３】
本発明の目的は、したがって、化粧物品を改良することである。
【課題を解決するための手段】
【０００４】
本発明は、したがって、化粧物品であって：
−化粧製品の予備と、
−少なくとも２つのメッシュにおいて、上流のものと、下流のものとが、上記製品が上記物品から吐出される方向に相対しており、上記メッシュが貫通孔を備えており、上記製品が上流メッシュを通過し続いて下流メッシュを通過するように配置されている、少なくとも２つのメッシュと
を備える、化粧物品に関する。
【０００５】
固体ブロックの化粧製品の場合には、メッシュを通る通路が、上記製品をペースト状にし、したがって、得られるメイクアップ効果を改良し、また、使用者がメイクアップをより適用し易くする。ペースト形態の化粧製品の場合には、この通路が、上記製品を順に再度流動化させて、より良好なメイクアップ結果を得、使用者がメイクアップをより適用し易くする。
また、上流メッシュは、上記孔を通過するときに上記製品の最初の構造破壊を生じさせる。下流メッシュは、次いで、同じ上記製品部においてこの作業を継続する。ビュレットの軟化及び柔軟化は、２工程で起こるため、これを得るために使用者によってメカニズムにおいて生じる力は、単一のメッシュの存在と比較して、中程度のままであることができる。
【０００６】
好ましくは、上流メッシュにおける孔の最大寸法は、下流メッシュにおける孔の最大寸法よりも大きく、これら２つの寸法間の比は、好ましくは、１を超えかつ１００以下である。
【０００７】
そのため、固体ブロックの化粧製品の場合には、本発明者らにより、唯一のメッシュが存在するとき又は２つのメッシュが同じ寸法を有するときよりも、使用者によって必要な力がさらに少なくなる、進行性のブロック構造破壊が得られる。このことは、上記製品がペースト形態であるときにも当てはまり、この特別な配置を使用して、低減された力で、より流動性のペーストが得られる。
【０００８】
有利には、メッシュの少なくとも１つが製織されている。
【０００９】
また、有利には、製織が、縦及び横糸からなるとき、縦糸の直径は、横糸の直径とは異なる。
【００１０】
この特別な配置を使用して、特に、メッシュを通過する上記製品を所要の方向に送付して、例えば、特定のメイクアップ結果を得る。固体ブロックの化粧製品の場合には、これは、特定の方向に異なってブロックも構造破壊させる。すなわち、構造破壊は、異方的に生じる。縦糸の直径は、横糸の直径より大きくてよく、逆もまた然りである。所与のメッシュにおいて、種々の縦糸は、異なる直径を有することもできる。同様に、所与のメッシュにおいて、種々の横糸は、異なる直径を有することができる。
【００１１】
好ましくは、メッシュの少なくとも１つは、１つのピースで作製される。
【００１２】
これにより、特に、他の場合には例えば製織によって得ることが困難であり得る孔形状の輪郭を与えることが可能になる。メッシュは、注入によって、又は追加の合成によって製造され得る。
【００１３】
好ましくは、メッシュの少なくとも１つにおける全ての孔が、積層可能な輪郭を有する。
【００１４】
そのため、上記製品のペーストは、孔を離脱するときにメッシュに均一に分布されて、特に、全てのメッシュがこの特徴を有する場合に、上記製品の均一な適用を可能にする。物品の全てのメッシュがこの特徴を有することもできる。
【００１５】
有利には、メッシュの少なくとも１つが、積層可能でない輪郭を有する孔を有する。
【００１６】
この特別な配置により、特に、上記製品のペーストを、これがメッシュを通過するときに所要の方向に指向させることができる。ペーストはまた、上記製品がより正確に適用されるようにメッシュの面における特定の位置においてより濃縮され得る。このタイプの２つの同一のメッシュが使用されるとき、上記製品を特定の方向に指向させる現象は、さらにより明白になる。明らかに、同一又はそうでないさらなるメッシュが存在し得る。
【００１７】
好ましくは、孔の輪郭は、以下の形状：矩形、五角形、六角形、八角形、円形、卵形又は楕円形；の１つを有する。
【００１８】
孔のこれらの種々の形状のいくつかはまた、上記製品を、これがメッシュを通過するように指向させることも助ける。
【００１９】
好ましくは、メッシュの少なくとも１つにおける孔の最大寸法は、５０μｍ及び４５０μｍの間である。
【００２０】
より好ましくは、メッシュの少なくとも１つは、孔間の最小距離が、１００μｍ及び３００μｍの間であるように配置される。
【００２１】
この配置は、上記製品が固体であるとき、使用者が、過度の力を適用する必要なく、良好なブロック構造破壊結果を得ることを助ける。上記製品がペースト状であるとき、この配置は、良好な製品流動化結果を付与する。メッシュにおける種々の隣接孔間の最小距離は、種々の孔間で一定でなくてよい。メッシュにおける隣接孔間の最小距離の分布はまた、メッシュを通過する上記製品が所要の方向に送付されるようにすることもできる。
【００２２】
有利には、上記物品は、２つのメッシュ間に少なくとも１つの中間メッシュをさらに備え、メッシュにおけるそれぞれの孔の最大寸法が、上記製品が上記物品から吐出されるときに、上記製品がメッシュを通過する方向に対して上流から下流に減少している。
【００２３】
この特徴は、製品ブロックを構造破壊し、又は、より流動性のペースト得るのに必要とされる力をさらに低減する。
【００２４】
好ましくは、化粧製品が、固体ブロックを形成する。
【００２５】
有利には、化粧製品が、唇用の化粧製品である。
本発明はまた、デバイスであって：
−互いに対向に延びる少なくとも２つのメッシュと、
−上記メッシュが取り付けられている支持体と
を備え、
メッシュの少なくとも１つにおける上記孔の最大寸法が５０μｍ及び４５０μｍの間であり、
各メッシュの最大寸法が３ｃｍ未満であり、
支持体が、化粧物品のチューブの一端に取り付けられるようになっている、上記デバイスも提供する。
【図面の簡単な説明】
【００２６】
本発明者らは、図を参照して非限定例として付与される、本発明の実施形態をここで説明する：
【図１】本発明の２つの実施形態による物品の長手方向断面図である。
【図２】本発明の２つの実施形態による物品の長手方向断面図である。
【図３】最も遠位のメッシュのみが可視である、図１に示す物品の支持体に取り付けられたメッシュの斜視図である。
【図４】図３に示すメッシュの拡大部分平面図である。
【図５】メッシュの代替の実施形態の拡大部分平面図である。
【図６】図１に示す物品のピストン、チューブ及び本体のそれぞれ長手方向断面図である。
【図７】図８に示す物品のピストン、チューブ及び本体のそれぞれ長手方向断面図である。
【図８】図９に示す物品のピストン、チューブ及び本体のそれぞれ長手方向断面図である。
【図９】製品のブロックの破壊指数を測定するのに使用されるデバイスの側面略図である。
【発明を実施するための形態】
【００２７】
本発明者らは、図１〜９を参照して唇用の化粧物品を説明する。本発明者らは、この物品が口紅である場合を以下で考察する。明らかに、唇用の化粧製品は、異なっていてよく、赤色の口紅に限定されず、化粧製品の色は、例えばピンク、黒、茶色等である。
【００２８】
デバイス
図１に示す化粧物品１の外箱は、本体２及びキャップ（図示せず）からなる。本体は、肩部によって形成された止め具を有し、これに対して、キャップが、本体がキャップに部分的に適合するように接触することができる。
【００２９】
本体は、２つのシリンダ形部分を備え、例えば、アプリケータ本体を横断する面において略方形断面であり、第２断面が、第１断面より小さい。これら２つの断面は、止め具によって離間されている。本体は、遠位及び近位端において中空でありかつ開放されている。本体の近位端の開口部１１は、アプリケータ本体を横断する面において、この端から延びる本体の底部３によって部分的に閉鎖されている。
【００３０】
本体２によって形成されるキャビティは、本体の軸１３に沿って、外側から内側に向かって、らせん状の傾斜を有するチューブ状要素４と、主な長手方向軸１３が一致しているチューブ５及びピストン６とを備える。
【００３１】
チューブ状要素４（図８参照）は、長手方向軸１３に対して垂直な面において環状断面を有する中空の概ねシリンダ形状を有し、両端で開放されている。上記要素は、実質的に平滑な外面と、チューブ状要素４の大部分にわたって延びるらせん状の傾斜７を形成する溝を有する内面とを有する。図８は、８つのらせん状回転を示す。明らかに、らせん状回転の数は、所要の効果に応じて、多かれ少なかれいずれかで異なっていてよい。この要素の近位端は、底部３にある。要素４の遠位端は、実質的に止め具まで延びる。この要素は、上記物品の本体２に堅く取り付けられている。
【００３２】
チューブ５（図７参照）は、軸１３に対して垂直な面において環状断面を有する中空シリンダを形成し、両端で開放されている。チューブ５の遠位端は、ベベル状である。明らかに、この端は、ベベル状でなくてよい。チューブ５は、チューブの近位端からチューブの中央部分に延びる２つの傾斜８を形成する２つのスロットを有する。概して細長い直線形状の傾斜は、軸１３と平行である。これらの傾斜は、この軸の各側において互いに正反対である。
【００３３】
ピストン６（図６参照）は、軸１３に対して垂直な面において環状断面を有する中空シリンダを形成する。ピストンの近位端は開放されており、そのベベル状である遠位端は、ビュレットの底が挿入されるカップを形成するようにピストンの遠位端に対して僅かに後退している部９によって閉鎖されている。これにより、ビュレットとピストンとの間の接続を改良する。図１において、遠位端を閉鎖するピストンの部９は平坦であり、該部が斜めにもなるように軸１３に対して傾斜している。ピストンは、その近位部の外面において、ピストンの外面から突出している２つの正反対のガイドスタッド１０を有する。明らかに、これらのスタッドは、ピストンの外面における他の位置に設けられていてよい。これらのスタッドは、それぞれ、チューブ５の直線状傾斜８及びチューブ状要素４のらせん状の傾斜７に沿って進行するようになっている。ピストンは、その遠位端において、ピストンの遠位端の辺り一帯に延びるシールビーズ１２をさらに備える。
【００３４】
チューブ５の近位部は、したがって、本体及びチューブ状要素４の内側に収容されており、その遠位部は、外側に延びて、上記物品１の本体２から突出している。チューブは、好適なガイド手段によって、本体２及びチューブ状要素４によって形成されるアセンブリに対して軸１３の周りで回転移動可能に設置されている。ピストン６は、種々の傾斜７、８に沿って進行するようになっているスタッド１０に起因してチューブ５において並進移動可能に収容されている。
【００３５】
物品１は、固体ブロックの口紅又はビュレット１４をさらに備える。このビュレット１４は、軸１３に対して垂直な面において環状断面を有する、中空でない概してシリンダ形状を有する。ビュレット１４の遠位端は、ベベル形状を有する。明らかに、この端は、異なる形状を有していてよく、これらの形状は、当業者によって周知である。ビュレットの近位部は、ピストン６の遠位端９にある。ピストンは、したがって、チューブ５の内側で軸１３に沿ってビュレット１４をスライドさせることにより駆動するようになっている。
【００３６】
このビュレットは、２０℃で測定したとき、０．２Ｎ及び２０Ｎの間（すなわち、およそ２０グラムフォース及び２０００グラムフォースの間）の破壊指数を有する。破壊指数は、ブロックの機械的強度を示す。
【００３７】
この測定は、例えば、参照試験ベンチＴＣＭ２０１Ｍ、及び、１３２ｍｍ／分のロッド低下速度で、Ｃｈａｔｉｌｌｏｎによって販売されている、参照ＤＦＳが５キログラムフォース（ｋｇｆ）（すなわち、およそ４９Ｎ）の力センサ２３（動力計）によって得られる。ビュレットの破壊指数は、ビュレットを破壊するのに適用されなければならない平均の力を表す。
【００３８】
この方法では、上記製品の温度は、結果に直接影響を及ぼしてから制御される。ビュレットは、公知の方法によって測定をする前に所要の温度に加熱されてよい。例えば、ビュレットは、２０℃にサーモスタット制御されたチャンバにおいて、又は２０℃に制御された室内に放置されてよい。上記製品の温度は、測定をする前にビュレットの中央に挿入した温度計を使用して温度が確実に１９．５℃及び２１．５℃の間になるようにして測定される。
【００３９】
概して、１ｋｇｆ又は５ｋｇｆの力センサが使用され得、１ｋｇｆの力センサは、１０００ｇｆ（すなわち、およそ９．８Ｎ）の最大測定値までの測定を可能にし、この範囲を超えると、５ｋｇｆの力センサが使用されなければならない。
【００４０】
図９を参照すると、測定は、チューブ５と同じ直径のチューブ２４によってなされる。このチューブ２４は、できるだけ上記物品から遠くに、元の状態でビュレット１４と水平に置かれる。チューブは、ブロッキングリング２０及び取り付けネジ２１によって固定して保持されており、ビュレットのベベル状の面は、下方に指向されている（図９参照）。挿入されたＶ形状の止め具を備えるロッド２２は、プログラムされた速度で、すなわち、この場合には１３２ｍｍ／分で鉛直に降下し、ビュレット１４を叩いてこれを破壊する。動力計２３は、ビュレットが破壊するときに測定される最大圧縮力に相当する値、すなわち、破壊指数を付与する。破壊指数の平均及び標準偏差を算出するために所与のビュレット配合物についていくつかの試験が行われてよい。
【００４１】
物品１は、概して環状の平坦形状の２つのメッシュ１５をさらに備える。記載されている実施形態において、メッシュは、縦糸１８及び横糸１９を備える、例えば金属製の金網であり、これらの糸は、概して矩形状の孔１６を形成している。メッシュが金属製であるという事実は、特に最も遠位のメッシュに特に有利である、なぜなら、上記製品が唇に適用されるとき、この化粧製品が、使用者に心地よい「リフレッシュ」効果を生じるからである。孔１６の最大寸法ｄ、この場合、対角線は、５０μｍ及び４５０μｍの間である。横及び縦糸は、孔間の最小距離の値にもしたがって相当する、１００μｍ及び３００μｍの間の直径ａ、ｂを有する。メッシュ１５は、支持体１７を介してチューブ５の遠位端に堅く取り付けられている。この例において、下流メッシュの孔は以下の通りである：
−最大寸法：２８０μｍ、
−幅：１００μｍ、
−長さ：２６１μｍ、
−縦糸の直径ａ：１５０μｍ、
−横糸の直径ｂ：１００μｍ、
−孔間の距離：１００μｍ。
【００４２】
上流メッシュの孔は以下の通りである：
−最大寸法：４００μｍ、
−幅：３００μｍ、
−長さ：２６４．５μｍ、
−縦糸の直径ａ：１５０μｍ、
−横糸の直径ｂ：１００μｍ、
−孔間の距離：１００μｍ。
【００４３】
この場合、２つのメッシュは互いに接触し、同じ支持体１７に取り付けられている。２つのメッシュは、互いに対向しており、互いに平行である（図１参照）。
【００４４】
支持体１７は、軸１３に対して垂直な面において環状断面を有する概してシリンダ形状を有する。メッシュ１５は、例えば、支持体１７と、メッシュに支持体をオーバーモールドすることによって連動しており、支持体は、プラスチック製である。支持体は、チューブ５に接続されており、この接続は、チューブの遠位端の辺り一帯でなされている。
【００４５】
操作
アプリケータが使用されないとき、ピストン６は、その最も低い位置にあり、すなわち、その近位端が、上記物品の部分３に接触している。ビュレット１４は、最も近位のメッシュ１５（図示せず）からある距離に位置しており、当該メッシュと対向している。
【００４６】
使用の際、使用者は両手で上記物品１を保持し、第１の手が、上記物品の本体から突出しているチューブ５の端を保持し、他方の手が、より大きな寸法の部で上記物品の本体２を保持する。
【００４７】
使用者は、軸１３の周りで、チューブに対して上記物品の本体２に回転移動を適用する。この回転移動は、チューブ状要素４のらせん状の傾斜７及びチューブ５の直線状傾斜８を、ピストンの２つのガイドスタッド１０を介して移動させる。この移動は、軸１３に沿ったピストン６の直線状の並進又はスライド移動を引き起こし、ピストンが、そのビュレット１４と一緒に駆動している。並進移動は、ビュレット１４が最も近位のメッシュ１５と接触するまで継続する。
【００４８】
使用者は、上記物品の本体２への回転移動を適用し続けることにより、ビュレット１４の端に近位メッシュ１５、次いで遠位メッシュ１５を通過させる。
【００４９】
メッシュを通るこの通路は、固体ビュレット端部を構造破壊し、この端部は、薄片にカットされて、２つのメッシュを通過した後に、２つのメッシュの外側及び遠位メッシュにおいてひいては再結合して、結果として、均一なペーストを形成することとなる。一旦、ビュレット部がメッシュを横断して、構造破壊されてペーストになったら、このペーストは、容易に適用される。使用者は、このように、このペーストをその唇に容易に適用することができる。明らかに、製品ブロックの端のみが各適用において構造破壊されて、ビュレットの大部分がその一体性を維持している。ブロックは、適用の間、メッシュに達するにつれて構造破壊が進む。
【００５０】
上記で記載されている互いに接触している２つのメッシュの存在は、いくつかの利点を付与する。製品ブロックがかなりの程度まで構造破壊されて、より流動性のペーストが得られる。さらに、特に、近位又は上流メッシュにおける孔１６の最大寸法が遠位又は下流メッシュにおける孔１６の最大寸法よりも大きいとき、メッシュを通るビュレットの部分を押すのに必要とされる力が低減される。これらの２つの寸法間の比は、１を超えかつ１００以下、例えば６０に等しい。
【００５１】
これら２つのメッシュ１５は、同じ材料又は異なる材料でできていてよい。さらに、２つのメッシュは、同じメッシュ１５内で又は２つのメッシュの孔１６間で、輪郭が異なる形状を有する孔１６を有していてよい。例えば、第１メッシュの輪郭が、矩形状を有していてよく、第２メッシュの輪郭が、概して楕円の形状を有していてよい。明らかに、多数のメッシュ、例えば、３、４、５又は６つのメッシュが考慮されてよい。
【００５２】
図２に示す代替の実施形態において、上記物品１は、互いに付近にあって対向しているがこのとき互いに接触していない２つのメッシュ１５を備える。これらの２つのメッシュ間のスペースは、ビュレットが、第１メッシュ、すなわち、近位メッシュを横断した後、かつ、第２メッシュを通る通路の前に、ビュレットを収容するようになっている。これらの２つのメッシュ間の間隔は、例えばスペーサによって維持され得る。
【００５３】
この実施形態の利点は、先の実施形態の利点と同じである。したがって、より流動性の化粧製品ペーストが得られ、固体ビュレットから流体ペレットに変化するのに使用者によって必要とされる力が低減される。前述のように、多数のメッシュ、例えば、３、４、５又は６つのメッシュが考慮されてよい。これら２つのメッシュ１５は、同じ材料又は異なる材料でできていてよい。さらに、２つのメッシュは、同じメッシュ１５内で又は２つのメッシュの孔１６間で、輪郭が異なる形状を有する孔１６を有していてよい。例えば、第１メッシュの輪郭が、矩形状を有していてよく、第２メッシュの輪郭が、概して楕円の形状を有していてよい。
【００５４】
明らかに、多数の変更が、本発明の範囲から離れることなくなされ得る。
【００５５】
記載されている実施形態は、ビュレットを押すメカニズムを使用する。当業者に公知のいずれの他のメカニズムが使用されてもよい。例えば、直線状の傾斜は、らせん状の傾斜を持つ部分の外側に延びることができる。しかし、らせん状の傾斜が直線状の傾斜の外側にある図を参照して記載されている構成は、らせんに低減されたピッチを付与し、したがって、使用者によってメッシュを通してビュレットを押すのに必要とされる力を低減する。
【００５６】
使用者にビュレットを直接上昇させるスライド力を付与させるメカニズムが考えられ得る。
【００５７】
ビュレットが本体に堅く取り付けられ、これが、ビュレット上に降下してビュレットを構造破壊するメッシュの少なくとも１つであるメカニズムも考えられ得る。
【００５８】
メッシュの１つは、製織されていなくてよいが、プレートを機械加工して孔を生じさせることによって作製され得、又は追加の製造技術（３Ｄ印刷）が使用され得る。
【００５９】
孔の寸法及び／又は分布は、メッシュの少なくとも１つの面にわたって変動し得る。
【００６０】
孔は、配合物を一方向により構造破壊するために、別のものよりも大きい寸法を有し得る。
【００６１】
メッシュは、凹面又は凸面でもよい。
【００６２】
メッシュは、プラスチック、繊維又は金属でできていてよい。
【００６３】
化粧製品は、顔の別の部分が意図され得る。特に、化粧製品は、体全体に適用されてよい。化粧製品は、口紅以外の化粧製品、例えば、ケア製品であり得る。
【図１】
2019506935.tif 000003
【図２】
2019506935.tif 000004
【図３】
2019506935.tif 000005
【図４】
2019506935.tif 000006
【図５】
2019506935.tif 000007
【図６】
2019506935.tif 000008
【図７】
2019506935.tif 000009
【図８】
2019506935.tif 000010
【図９】
2019506935.tif 000011
【国際調査報告】
2019506935.tif 000012
2019506935.tif 000013
2019506935.tif 000014
2019506935.tif 000015
2019506935.tif 000016
2019506935.tif 000017